(57)【特許請求の範囲】
【請求項１】
ネットワークを介して互いに通信可能に接続される複数の端末装置の画面で同じ情報を同期して表示させるための情報再生方法であって、
任意の時刻に前記情報を前記画面に再生表示させるためのスケジュール情報を作成した端末装置から他の端末装置に、該スケジュール情報を前記ネットワークを介して配信し、
前記スケジュール情報を受信した端末装置により、予め記録しておいた情報のなかから、該スケジュール情報にしたがって当該情報を再生し、
前記情報の再生時に特殊再生を実行した端末装置から、該特殊再生の操作情報を前記ネットワークを介して他の端末装置に配信し、
前記操作情報を受信した端末装置により、該操作情報に基づいて該操作情報を発信した端末装置と同じ種類の特殊再生を行う情報再生方法。
【請求項２】
前記スケジュール情報を受信する端末装置に、該スケジュール情報にしたがって再生すべき情報が記録されていない場合は、前記スケジュール情報を作成した端末装置から配信される当該情報をネットワークを介して受信させる請求項１記載の情報再生方法。
【請求項３】
前記スケジュール情報は、
予め決められた日時に配信される所定の情報を記録するための録画予約情報を含む請求項１記載の情報再生方法。
【請求項４】
前記スケジュール情報は、
前記情報の再生時に実行される特殊再生の操作手順を、再生開始からの経過時間とともに記録したシナリオデータを含む請求項１記載の情報再生方法。
【請求項５】
前記操作情報は、
前記特殊再生の時刻、種類、及び該情報の再生開始からの経過時間を含み、
前記操作情報を受信した端末装置は、該操作情報に基づいて前記情報の特殊再生の開始位置を算出し、該開始位置に画面を移動させ、当該移動した位置から特殊再生を行う請求項１乃至４のいずれか１項記載の情報再生方法。
【請求項６】
複数の画面で同じ情報を同期して表示させるための情報再生システムであって、
予め決められた日時に配信される情報を記録し、任意の時刻に前記情報を前記画面に再生表示させるためのスケジュール情報をネットワークを介して受信すると、該スケジュール情報にしたがって当該情報を再生し、前記スケジュール情報を作成した場合は該スケジュール情報をネットワークを介して配信し、前記情報の再生時に実行した特殊再生の操作情報をネットワークを介して配信すると共に、前記操作情報をネットワークを介して受信すると、該操作情報に基づいて特殊再生を行う情報再生端末装置と、
前記情報再生端末装置から送信された前記スケジュール情報を蓄積すると共に、前記スケジュール情報の送信を要求した情報再生端末装置に該スケジュール情報をネットワークを介して返送し、前記情報再生端末装置から前記操作情報を受信すると、該情報再生端末装置が所属するユーザ群の各情報再生端末装置に該操作情報をそれぞれ送信するスケジュール管理サーバ装置と、
を有する情報再生システム。
【請求項７】
前記情報再生端末装置は、
前記スケジュール情報にしたがって再生すべき情報が記録されていない場合は該情報をネットワークを介して受信し、前記スケジュール情報を作成した場合は該スケジュール情報に対応する当該情報をネットワークを介して配信し、
前記スケジュール管理サーバ装置は、
前記情報再生端末装置から送信された、前記スケジュール情報にしたがって再生する情報を蓄積すると共に、該情報の送信を要求した情報再生端末装置に当該情報を返送する請求項６記載の情報再生システム。
【請求項８】
前記スケジュール情報は、
予め決められた日時に配信される所定の情報を記録するための録画予約情報を含む請求項６記載の情報再生システム。
【請求項９】
前記スケジュール情報は、
前記情報再生端末装置による前記情報の再生時に実行された特殊再生の操作手順を再生開始からの経過時間とともに記録したシナリオデータを含む請求項６記載の情報再生システム。
【請求項１０】
前記操作情報は、
前記特殊再生の時刻、種類、及び該情報の再生開始からの経過時間を含み、
前記情報再生端末装置は、
前記操作情報をネットワークを介して受信すると、該操作情報に基づいて前記情報の特殊再生の開始位置を算出し、該開始位置に再生画面を移動し、該移動した位置から特殊再生を行う請求項６乃至９のいずれか１項記載の情報再生システム。
【請求項１１】
複数の画面で同じ情報を同期して表示させるための管理を行うサーバ装置であって、
前記情報を画面に表示する端末装置からネットワークを介して送信される、前記情報を任意の時刻に前記画面に再生表示させるためのスケジュール情報を蓄積するデータ蓄積装置と、
前記スケジュール情報の送信を要求した端末装置に該スケジュール情報をネットワークを介して返送し、前記情報の再生時に実行された特殊再生の操作情報を前記端末装置から受信すると、該端末装置が所属するユーザ群の各端末装置に該操作情報をそれぞれ送信する処理装置と、
を有するサーバ装置。
【請求項１２】
前記データ蓄積装置は、
前記端末装置から送信された、前記スケジュール情報にしたがって再生すべき情報を蓄積し、
前記処理装置は、
該情報の送信を要求した端末装置に当該情報を返送する請求項１１記載のサーバ装置。
【請求項１３】
前記スケジュール情報は、
予め決められた日時に配信される所定の情報を記録するための録画予約情報を含む請求項１１記載のサーバ装置。
【請求項１４】
前記スケジュール情報は、
前記端末装置による前記情報の再生時に実行された特殊再生の操作手順を再生開始からの経過時間とともに記録したシナリオデータを含む請求項１１記載のサーバ装置。
【請求項１５】
前記操作情報は、
前記特殊再生の時刻、種類、及び該情報の再生開始からの経過時間を含む請求項１１乃至１４のいずれか１項記載のサーバ装置。
【請求項１６】
複数の画面で同じ情報を同期して表示する端末装置であって、
予め決められた日時に配信される情報、及びネットワークを介して受信する、任意の時刻に前記情報を前記画面に再生表示させるためのスケジュール情報を記録する情報再生部と、
該スケジュール情報にしたがって当該情報を再生すると共に、前記スケジュール情報を作成した場合は該スケジュール情報をネットワークを介して配信し、前記情報の再生時に実行された特殊再生の操作情報を前記ネットワークを介して配信すると共に、前記操作情報を前記ネットワークを介して受信した場合は、該操作情報に基づいて該操作情報を発信した端末装置と同じ種類の特殊再生を行う情報処理部と、
を有する端末装置。
【請求項１７】
前記情報処理部は、
前記スケジュール情報にしたがって再生すべき情報が記録されていない場合は該情報をネットワークを介して受信し、前記スケジュール情報を作成した場合は該スケジュール情報に対応する当該情報をネットワークを介して配信し、
前記情報再生部は、
前記情報処理部で受信した前記スケジュール情報にしたがって再生すべき情報を記録する請求項１６記載の端末装置。
【請求項１８】
前記スケジュール情報は、
予め決められた日時に配信される所定の情報を記録するための録画予約情報を含む請求項１６記載の端末装置。
【請求項１９】
前記スケジュール情報は、
前記情報の再生時に実行された特殊再生の操作手順を再生開始からの経過時間とともに記録したシナリオデータを含む請求項１６記載の端末装置。
【請求項２０】
前記操作情報は、
前記特殊再生の時刻、種類、及び該情報の再生開始からの経過時間を含み、
前記情報処理部は、
前記操作情報に基づいて前記情報の特殊再生の開始位置を算出し、該開始位置に再生画面を移動し、該移動した位置から特殊再生を行う請求項１６乃至１９のいずれか１項記載の端末装置。
【請求項２１】
複数の画面で同じ情報を同期して表示させるための処理をコンピュータに実行させるためのプログラムであって、
前記情報を画面に表示する端末装置からネットワークを介して送信される、前記情報を任意の時刻に前記画面に再生表示させるためのスケジュール情報を記憶装置に蓄積させ、
前記スケジュール情報の送信を要求した端末装置に該スケジュール情報をネットワークを介して返送させ、
前記情報の再生時に実行された特殊再生の操作情報を前記端末装置から受信すると、該端末装置が所属するユーザ群の各端末装置に該操作情報をそれぞれ送信させるプログラム。
【請求項２２】
前記端末装置から送信された、前記スケジュール情報にしたがって再生すべき情報を記憶装置に蓄積させ、
該情報の送信を要求した端末装置に当該情報を返送させる請求項２１記載のプログラム。
【請求項２３】
前記スケジュール情報に、
予め決められた日時に配信される所定の情報を記録するための録画予約情報を含む請求項２１記載のプログラム。
【請求項２４】
前記スケジュール情報に、
前記端末装置による前記情報の再生時に実行された特殊再生の操作手順を再生開始からの経過時間とともに記録したシナリオデータを含む請求項２１記載のプログラム。
【請求項２５】
前記操作情報に、
前記特殊再生の時刻、種類、及び該情報の再生開始からの経過時間を含む請求項２１乃至２４のいずれか１項記載のプログラム。
【請求項２６】
複数の画面で同じ情報を同期して表示するコンピュータに実行させるためのプログラムであって、
予め決められた日時に配信される情報と、ネットワークを介して受信する任意の時刻に前記情報を前記画面に再生表示させるためのスケジュール情報とを記憶装置に記録させ、
該スケジュール情報にしたがって当該情報を再生すると共に、前記スケジュール情報を作成した場合は該スケジュール情報をネットワークを介して配信させ、
前記情報の再生時に実行された特殊再生の操作情報を前記ネットワークを介して配信させ、
前記操作情報をネットワークを介して受信した場合は、該操作情報に基づいて該操作情報を発信した端末装置と同じ種類の特殊再生を実行させるプログラム。
【請求項２７】
前記スケジュール情報にしたがって再生すべき情報が記録されていない場合は該情報をネットワークを介して受信させ、
該情報を記憶装置に蓄積させ、
前記スケジュール情報を作成した場合は該スケジュール情報に対応する当該情報をネットワークを介して配信させる請求項２６記載のプログラム。
【請求項２８】
前記スケジュール情報は、
予め決められた日時に配信される所定の情報を記録するための録画予約情報を含む請求項２６記載のプログラム。
【請求項２９】
前記スケジュール情報は、
前記情報の再生時に実行された特殊再生の操作手順を再生開始からの経過時間とともに記録したシナリオデータを含む請求項２６記載のプログラム。
【請求項３０】
前記操作情報は、
前記特殊再生の時刻、種類、及び該情報の再生開始からの経過時間を含み、
前記操作情報をネットワークを介して受信した場合は、該操作情報に基づいて前記情報の特殊再生の開始位置を算出させ、該開始位置に再生画面を移動させ、該移動した位置から前記特殊再生を実行させる請求項２６乃至２９のいずれか１項記載のプログラム。
【請求項３１】
複数の画面で同じ情報を同期して表示させるための処理をコンピュータに実行させるためのプログラムが記録された記録媒体であって、
前記情報を画面に表示する端末装置からネットワークを介して送信される、前記情報を任意の時刻に前記画面に再生表示させるためのスケジュール情報を記憶装置に蓄積させ、
前記スケジュール情報の送信を要求した端末装置に該スケジュール情報をネットワークを介して返送させ、
前記情報の再生時に実行された特殊再生の操作情報を前記端末装置から受信すると、該端末装置が所属するユーザ群の各端末装置に該操作情報をそれぞれ送信させるためのプログラムが記録された記録媒体。
【請求項３２】
前記端末装置から送信された、前記スケジュール情報にしたがって再生すべき情報を記憶装置に蓄積させ、
該情報の送信を要求した端末装置に当該情報を返送させるためのプログラムが記録された請求項３１記載の記録媒体。
【請求項３３】
前記スケジュール情報に、
予め決められた日時に配信される所定の情報を記録するための録画予約情報を含む請求項３１記載の記録媒体。
【請求項３４】
前記スケジュール情報に、
前記端末装置による前記情報の再生時に実行された特殊再生の操作手順を再生開始からの経過時間とともに記録したシナリオデータを含む請求項２１記載の記録媒体。
【請求項３５】
前記操作情報は、
前記特殊再生の時刻、種類、及び該情報の再生開始からの経過時間を含む請求項３１乃至３４のいずれか１項記載の記録媒体。
【請求項３６】
複数の画面で同じ情報を同期して表示するコンピュータに実行させるためのプログラムが記録された記録媒体であって、
予め決められた日時に配信される情報と、ネットワークを介して受信する任意の時刻に前記情報を前記画面に再生表示させるためのスケジュール情報とを記憶装置に記録させ、
該スケジュール情報にしたがって当該情報を再生すると共に、前記スケジュール情報を作成した場合は該スケジュール情報をネットワークを介して配信させ、
前記情報の再生時に実行された特殊再生の操作情報を前記ネットワークを介して配信させ、
前記操作情報を前記ネットワークを介して受信した場合は、該操作情報に基づいて該操作情報を発信した端末装置と同じ種類の特殊再生を実行させるためのプログラムが記録された記録媒体。
【請求項３７】
前記スケジュール情報にしたがって再生すべき情報が記録されていない場合は該情報をネットワークを介して受信させ、
該情報を記憶装置に蓄積させ、
前記スケジュール情報を作成した場合は該スケジュール情報に対応する当該情報をネットワークを介して配信させるためのプログラムが記録された請求項３６記載の記録媒体。
【請求項３８】
前記スケジュール情報は、
予め決められた日時に配信される所定の情報を記録するための録画予約情報を含む請求項２６記載の記録媒体。
【請求項３９】
前記スケジュール情報は、
前記情報の再生時に実行された特殊再生の操作手順を再生開始からの経過時間とともに記録したシナリオデータを含む請求項２６記載の記録媒体。
【請求項４０】
前記操作情報は、
前記特殊再生の時刻、種類、及び該情報の再生開始からの経過時間を含み、
前記操作情報をネットワークを介して受信した場合は、該操作情報に基づいて前記情報の特殊再生の開始位置を算出させ、該開始位置に再生画面を移動させ、当該移動した位置から特殊再生を実行させるためのプログラムが記録された請求項３６乃至３９のいずれか１項記載の記録媒体。
【発明の詳細な説明】
【０００１】
【発明の属する技術分野】
本発明は遠隔地の複数の画面で同じ情報を同期して表示させるための情報再生方法及びシステムに関する。
【０００２】
【従来の技術】
遠隔地に住む人（以下、ユーザと称す）どうしが同じ動画像や音声等の情報を共有化する手段として、テレビジョン放送やラジオ放送等がある。また、磁気テープや光ディスク等の記録媒体に画像情報を記録し、該記録媒体を各ユーザに配布することで情報を共有化する方法もある。
【０００３】
さらに、近年では、通信網や情報処理装置が発達した結果、インターネット等のネットワークを利用して画像情報等を配信することで同じ情報を共有化できるようになってきている。
【０００４】
【発明が解決しようとする課題】
コンピュータや携帯電話機等の情報処理装置は、電子メールやチャット、あるいは通話等によりユーザ間のコミュニケーション手段として利用できるため、上述した情報の共有化手段／方法と組み合わせることにより、同じ動画像を視聴しながら通話やチャット等で遠隔地のユーザとコミュニケーションできるようになる。例えば、孫の様子を録画したＶＴＲテープを遠隔地の祖父母に送れば、同じ記録画像を祖父母と視聴しながら電話やチャット等を利用してコミュニケーションできる。
【０００５】
ところで、テレビジョン放送やラジオ放送の各番組は、放送局が決めた番組編成にしたがって配信されるため、複数のユーザが同じ番組を同時に視聴できるとは限らない。そこで、磁気テープ、光ディスク、あるいは磁気ディスク等の記録媒体に各ユーザがそれぞれ番組を録画しておけば、複数のユーザで同じ情報を共有化することができる。また、情報を記録媒体に記録したユーザが、該情報を持たないユーザに該記録媒体を配送するか、記録した情報をインターネット等のネットワークを利用して配信すれば、該情報を複数のユーザで共有化することができる。ここで、もし、同じ情報を共有化した複数ユーザが、該情報を同期して再生しながらコミュニケーションできれば、ユーザはこれまでにないコミュニケーションの形態を享受することができる。
【０００６】
しかしながら、従来の記録媒体に記録された情報を再生する再生装置では、遠隔地のユーザがそれぞれ所有する記録媒体に記録された情報を同期して再生することができないため、同じ情報を同時に視聴することができないという問題がある。
【０００７】
したがって、スポーツの試合のように短い時間で展開が大きく変わるコンテンツを遠隔地のユーザと視聴している場合に、同時刻における各ユーザの表示場面が異なっていると、一部のユーザのみが試合結果等を先に知ることになるため、他のユーザは視聴中のコンテンツに対する興味を失ったり、ユーザどうしの会話やチャットがつまらないものになる。
【０００８】
本発明は上記したような従来の技術が有する問題点を解決するためになされたものであり、任意の時刻に複数の端末装置で同じ情報を同期して表示させることが可能な情報再生方法及びシステムを提供することを目的とする。
【０００９】
【課題を解決するための手段】
上記目的を達成するため本発明の情報再生方法は、ネットワークを介して互いに通信可能に接続される複数の端末装置の画面で同じ情報を同期して表示させるための情報再生方法であって、
任意の時刻に前記情報を前記画面に再生表示させるためのスケジュール情報を作成した端末装置から他の端末装置に、該スケジュール情報を前記ネットワークを介して配信し、
前記スケジュール情報を受信した端末装置により、予め記録しておいた情報のなかから、該スケジュール情報にしたがって当該情報を再生し、
前記情報の再生時に特殊再生を実行した端末装置から、該特殊再生の操作情報を前記ネットワークを介して他の端末装置に配信し、
前記操作情報を受信した端末装置により、該操作情報に基づいて該操作情報を発信した端末装置と同じ種類の特殊再生を行う方法である。
【００１０】
ここで、前記スケジュール情報を受信する端末装置に、該スケジュール情報にしたがって再生すべき情報が記録されていない場合は、前記スケジュール情報を作成した端末装置から配信される当該情報をネットワークを介して受信させてもよい。
【００１１】
また、前記スケジュール情報は、
予め決められた日時に配信される所定の情報を記録するための録画予約情報を含んでいてもよく、
前記情報の再生時に実行される特殊再生の操作手順を、再生開始からの経過時間とともに記録したシナリオデータを含んでいてもよい。
【００１２】
さらに、前記操作情報は、
前記特殊再生の時刻、種類、及び該情報の再生開始からの経過時間を含み、
前記操作情報を受信した端末装置は、該操作情報に基づいて前記情報の特殊再生の開始位置を算出し、該開始位置に画面を移動させ、当該移動した位置から特殊再生を行ってもよい。
【００１３】
一方、本発明の情報再生システムは、複数の画面で同じ情報を同期して表示させるための情報再生システムであって、
予め決められた日時に配信される情報を記録し、任意の時刻に前記情報を前記画面に再生表示させるためのスケジュール情報をネットワークを介して受信すると、該スケジュール情報にしたがって当該情報を再生し、前記スケジュール情報を作成した場合は該スケジュール情報をネットワークを介して配信し、前記情報の再生時に実行した特殊再生の操作情報をネットワークを介して配信すると共に、前記操作情報をネットワークを介して受信すると、該操作情報に基づいて特殊再生を行う情報再生端末装置と、
前記情報再生端末装置から送信された前記スケジュール情報を蓄積すると共に、前記スケジュール情報の送信を要求した情報再生端末装置に該スケジュール情報をネットワークを介して返送し、前記情報再生端末装置から前記操作情報を受信すると、該情報再生端末装置が所属するユーザ群の各情報再生端末装置に該操作情報をそれぞれ送信するスケジュール管理サーバ装置と、
を有する構成である。
【００１４】
ここで、前記情報再生端末装置は、
前記スケジュール情報にしたがって再生すべき情報が記録されていない場合は該情報をネットワークを介して受信し、前記スケジュール情報を作成した場合は該スケジュール情報に対応する当該情報をネットワークを介して配信し、
前記スケジュール管理サーバ装置は、
前記情報再生端末装置から送信された、前記スケジュール情報にしたがって再生する情報を蓄積すると共に、該情報の送信を要求した情報再生端末装置に当該情報を返送してもよい。
【００１５】
また、前記スケジュール情報は、
予め決められた日時に配信される所定の情報を記録するための録画予約情報を含んでいてもよく、
前記情報再生端末装置による前記情報の再生時に実行された特殊再生の操作手順を再生開始からの経過時間とともに記録したシナリオデータを含んでいてもよい。
【００１６】
さらに、前記操作情報は、
前記特殊再生の時刻、種類、及び該情報の再生開始からの経過時間を含み、
前記情報再生端末装置は、
前記操作情報をネットワークを介して受信すると、該操作情報に基づいて前記情報の特殊再生の開始位置を算出し、該開始位置に再生画面を移動し、該移動した位置から特殊再生を行ってもよい。
【００１７】
上記のような情報再生方法及びシステムでは、スケジュール情報を作成した端末装置から他の端末装置に該スケジュール情報をネットワークを介して配信し、スケジュール情報を受信した端末装置が該スケジュール情報にしたがって当該情報を再生することで、同じ情報が複数の端末装置で同時に再生される。
【００１８】
また、情報の再生時に特殊再生を実行した端末装置から、該特殊再生の時刻、種類、及び該情報の再生開始からの経過時間を含む操作情報をネットワークを介して他の端末装置に配信し、該操作情報を受信した端末装置が、該操作情報に基づいて操作情報を発信した端末装置による情報の再生位置を算出し、該再生位置に画面を移動することで、情報の再生時に任意の端末装置で特殊再生が実行された場合でも、各端末装置の再生画面を同期させることができる。
【００１９】
【発明の実施の形態】
次に本発明について図面を参照して説明する。
【００２０】
本発明の情報再生方法及びシステムは、インターネット等のネットワークを介して各ユーザが所有する情報を再生するための端末装置間を接続し、番組等の録画・再生スケジュールであるスケジュール情報、及び特殊再生（早送り、巻き戻し、一時停止、再スタート）を行った端末装置からの操作情報にしたがって各端末装置に同じ画像を同期して表示させ、音声やチャット機能等を利用したコミュニケーションを可能にする方法及びシステムである。
【００２１】
図１は本発明の情報再生システムの一構成例を示すブロック図であり、図２は図１に示したスケジュール管理サーバ装置の一構成例を示すブロック図である。また、図３は図１に示した情報再生端末装置の一構成例を示すブロック図である。なお、以下ではテレビジョン放送の番組を録画し、該録画画像を任意の時刻に再生する場合を例にして説明するが、録画画像はテレビジョン放送の番組に限定されるものではなく、例えば、ビデオカメラ等で撮影した記録画像であってもよい。
【００２２】
図１に示すように、本発明の情報再生システムは、情報の録画・再生手段、及びコミュニケーション手段として各ユーザに使用される情報再生端末装置１と、情報再生端末装置１による画像の同期表示を管理するためのスケジュール管理サーバ装置２とを有し、情報再生端末装置１どうし、または情報再生端末装置１とスケジュール管理サーバ装置２とがインターネット等のネットワーク３を介して互いに通信可能に接続される構成である。なお、図１ではネットワーク３に情報再生端末装置１が２台接続された構成を示しているが、実際にはより多くの情報再生端末装置１がネットワーク３に接続される。
【００２３】
スケジュール管理サーバ装置２はネットワーク３に接続可能な通信機能を備えたワークステーション・サーバコンピュータ等の情報処理装置であり、本発明の情報再生システムを管理するサービス提供業者、またはその会社に運営を委託された第三者によって管理される。また、情報再生端末装置１は、ネットワーク３に接続可能な通信機能、テレビジョン放送やラジオ放送等の受信機能、及び情報の蓄積・再生機能を備えたパーソナルコンピュータ等の情報処理装置である。
【００２４】
なお、情報再生端末装置１は、パーソナルコンピュータや携帯電話機等の情報処理装置に、テレビジョン放送やラジオ放送等の受信機能と情報の蓄積・再生機能を備えた情報再生装置を接続した構成であってもよい。
【００２５】
図２に示すように、スケジュール管理サーバ装置２は、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００２６】
処理装置１０は、ＣＰＵ１１と、ＣＰＵ１１の処理に必要な情報を一時的に記憶する主記憶装置１２と、複数の情報再生端末装置１で同時刻に同じ番組を録画・再生させるためのスケジュール情報、あるいは視聴する番組の画像データや音声データである番組情報、会員である各ユーザを認証するための情報等が蓄積されるデータ蓄積装置１４と、ＣＰＵ１１にスケジュール情報や番組情報の登録・配信処理等を実行させるための制御プログラムが記録された記録媒体１３と、主記憶装置１２、記録媒体１３、及びデータ蓄積装置１４とのデータ転送を制御するメモリ制御インタフェース部１５と、入力装置２０及び出力装置３０とのインタフェース装置であるＩ／Ｏインタフェース部１６と、ネットワーク３を介した通信を制御するインタフェースである通信制御装置１７とを備え、それらがバス１８を介して接続された構成である。
【００２７】
処理装置１０は、記録媒体１３に記録された制御プログラムにしたがって以下に記載するスケジュール情報や番組情報の登録・配信処理等を実行する。なお、記録媒体１３は、磁気ディスク、半導体メモリ、光ディスクあるいはその他の記録媒体であってもよい。
【００２８】
上述したように、スケジュール管理サーバ装置２のデータ蓄積装置１４には、情報再生端末装置１から送信されたスケジュール情報、及び該スケジュール情報で指定された番組の番組情報が登録・蓄積される。処理装置１０は、データ蓄積装置１４に蓄積された情報に基づいて情報再生端末装置１から取得可能なスケジュール情報の一覧表を生成し、該一覧表を送信要求した情報再生端末装置１に返送すると共に、情報再生端末装置１が番組情報の送信を要求した場合は該当する番組情報も送信する。
【００２９】
スケジュール情報は、放送局を識別するための識別情報（例えば、放送局名）、放送日、放送開始時間、及び再生開始時間等が各番組毎に対応して指定される。スケジュール情報の一覧表には、例えば、ＨＴＭＬで記述された番組名や再生開始時間等が記載され、各番組に対応する記載項目には、対応するスケジュール情報を情報再生端末装置１がダウンロードできるようにリンクが設定されている。なお、スケジュール管理サーバ装置２は、複数のユーザ群（以下、コミュニティと称す）に対して同様のサービスを提供するために、各コミュニティ毎に所定のセッションＩＤを付与し、該セッションＩＤにより各コミュニティに所属する情報再生端末装置１を識別する。
【００３０】
図３に示すように、情報再生端末装置１は、ネットワーク３に接続可能な通信機能を備えた情報処理部１１０と、テレビジョン放送やラジオ放送等の番組受信機能、及び番組情報等の蓄積・再生機能を備えた情報再生部１４０と、情報処理部１１０に対してコマンドやデータ等を入力するための入力装置１２０と、情報処理部１１０の処理結果や情報再生部１４０による再生画像を表示をするための表示装置１３０とを有する構成である。
【００３１】
情報処理部１１０は、ＣＰＵ１１１と、ＣＰＵ１１１の処理に必要な情報を一時的に記憶する主記憶装置１１２と、ＣＰＵ１１１にスケジュール情報や番組情報の配信・登録処理、あるいは番組の録画・再生処理を実行させるためのプログラムや処理データが記録される記録媒体１１３と、主記憶装置１１２、及び記録媒体１１３とのデータ転送を制御するメモリ制御インタフェース部１１５と、入力装置１２０、表示装置１３０及び情報再生装置１４０とのインタフェース装置であるＩ／Ｏインタフェース部１１６と、情報再生部１４０とのデータ転送を制御する再生制御インタフェース部１１９と、ネットワーク３を介した通信を制御するインタフェースである通信制御装置１１７とを備え、それらがバス１１８を介して接続された構成である。
【００３２】
情報処理部１１０は、記録媒体１１３に記録された制御プログラムにしたがって以下に記載するスケジュール情報の生成処理、スケジュール情報にしたがった録画・再生処理、及びスケジュール情報や番組情報の受信・配信処理等を実行する。なお、記録媒体１１３は、磁気ディスク、半導体メモリ、光ディスクあるいはその他の記録媒体であってもよい。
【００３３】
情報再生部１４０は、テレビジョン放送やラジオ放送等を受信し、所定のデータ記録方式（例えば、ＭＰＥＧ２）に変換する受信処理装置１４１と、番組情報やスケジュール情報等を蓄積する番組蓄積装置１４２と、番組蓄積装置１４２に対する情報の記録再生を行う記録再生装置１４３と、情報処理部１１０、あるいはキー入力操作による指示にしたがって受信処理装置１４１、番組蓄積装置１４２、及び記録再生装置１４３をそれぞれ制御する制御装置１４４とを有する構成である。なお、記録再生装置１４３にはディスプレイ等の表示装置が直接接続されていてもよい。
【００３４】
情報再生端末装置は、情報再生部１４０の受信処理装置１４１で受信した番組、あるいはネットワーク３を介して取得した番組情報等を番組蓄積装置１４２に蓄積する。このとき、番組情報には該番組の放送局や放送時間等の情報も記録される。
【００３５】
また、情報再生端末装置１は、ユーザが選択した番組を録画・再生させるためのスケジュール情報を、ユーザによるキー入力操作、あるいは上記番組情報と共に記録される番組の放送局や放送時間等の情報を利用して情報処理部１１０で生成し、該スケジュール情報、及び当該番組情報をネットワーク３を介して他の情報再生端末装置１、あるいはスケジュール管理サーバ装置２に送信する。
【００３６】
なお、番組の録画・再生動作は、スケジュール情報にしたがって指定された時刻に指定された番組を録画、再生するだけでなく、ＥＰＧ（Ｅｌｅｃｔｒｏｎｉｃ  Ｐｒｏｇｒａｍ  Ｇｕｉｄｅ：電子番組ガイド）等を利用してユーザが情報再生部１４０、あるいは情報処理部１１０に所定のキー入力操作を行うことでも可能である。また、ＥＰＧ等は、ユーザが選択した番組を録画するための録画予約情報をスケジュール情報に含める場合にも用いられる。
【００３７】
次に、本発明の情報再生方法の手順について図面を用いて説明する。
【００３８】
本発明の情報再生方法では、複数の情報再生端末装置１で同じ時刻に同じ情報を同期して表示させるために、各情報再生端末装置１の内蔵時計が正確である必要がある。内蔵時計を調整するためには、例えば、インターネット等のネットワーク３に接続されたＮＴＰ（Ｎｅｔｗｏｒｋ  Ｔｉｍｅ  Ｐｒｏｔｏｃｏｌ）サーバから得られる時刻情報に内蔵時計を一致させる方法、ＶＴＲ装置等で実施されているようにテレビジョン放送の特定チャネルで配信される時刻情報に内蔵時計を一致させる方法、あるいはテレビジョン放送のＶＢＩ（Ｖｅｒｔｉｃａｌ  Ｂｌａｎｋｉｎｇ  Ｉｎｔｅｒｖａｌ）で配信される時刻情報に内蔵時計を一致させる方法等がある。以下では、ネットワーク３に接続される各情報再生端末装置１の内蔵時計が全て正確であるものとして説明する。
【００３９】
（第１実施例）
まず、本発明の情報再生方法の第１実施例について図面を参照して説明する。
【００４０】
第１実施例の情報再生方法は、複数のユーザが同じ番組を情報再生端末装置１に録画済みであり、コミュニティ内の任意のユーザが複数ユーザで視聴する番組を指定してスケジュール情報を生成し、該スケジュール情報を他のユーザに配信し、該スケジュール情報に基づいて各ユーザの情報再生端末装置１で指定された時刻に同じ画像の再生を開始する方法である。
【００４１】
図４は本発明の情報再生方法の第１実施例の手順を示すシーケンス図である。
【００４２】
図４に示すように、まず、任意のユーザが、番組蓄積装置１４２に録画された番組の中から複数ユーザで視聴希望する番組を選択し、該番組の再生時刻を情報再生端末装置１に入力すると、情報再生端末装置１はユーザが指定した時刻に選択された番組を再生するためのスケジュール情報を生成する。
【００４３】
続いて、上記スケジュール情報を作成したユーザがコミュニティ内の他のユーザに録画済み番組の視聴を提案する提案メッセージを作成し、スケジュール情報を登録するための指示を情報再生端末装置１に入力すると、該情報再生端末装置１はネットワーク３を介してスケジュール管理サーバ装置２にアクセスする。
【００４４】
スケジュール管理サーバ装置２は、アクセスした情報再生端末装置１が会員登録されたユーザのものであるか否かを確認するために、ＩＤやパスワード等を入力させるための認証画面のデータを該情報再生端末装置１に返送する。
【００４５】
認証画面の指示にしたがってユーザがＩＤやパスワード等の認証情報を情報再生端末装置１に入力すると、該情報再生端末装置１は入力された認証情報をスケジュール管理サーバ装置２に送信する。
【００４６】
スケジュール管理サーバ装置２は、受信した認証情報を用いてアクセスした情報再生端末装置１が会員登録されたユーザのものであるか否かを認証し、会員登録されたユーザのものであることを確認すると、スケジュール情報の登録／ダウンロードを選択させるための選択画面のデータを送信する。
【００４７】
選択画面の指示にしたがってユーザがスケジュール情報の登録を選択入力すると、情報再生端末装置１は、スケジュール情報の登録指示メッセージ、コミュニティ内の他のユーザに録画済み番組の視聴を提案する提案メッセージ、及び作成したスケジュール情報をそれぞれ送信する。
【００４８】
スケジュール管理サーバ装置２は、受信した提案メッセージ及びスケジュール情報をそれぞれデータ蓄積装置１４に蓄積・登録する。
【００４９】
一方、コミュニティの他のユーザが、該情報再生端末装置１を用いてスケジュール管理サーバ装置２にアクセスすると、スケジュール管理サーバ装置２は、まず、上記と同様の手順でアクセスした情報再生端末装置１が会員登録されたユーザのものであるか否かを確認する。
【００５０】
アクセスした情報再生端末装置１が会員登録されたユーザのものであることを確認すると、スケジュール管理サーバ装置２は、スケジュール情報の登録／ダウンロードを選択させるための選択画面のデータを送信する。
【００５１】
選択画面の指示にしたがってユーザがスケジュール情報のダウンロードを選択すると、情報再生端末装置１はスケジュール情報のダウンロード要求をスケジュール管理サーバ装置２に送信する。
【００５２】
スケジュール管理サーバ装置２は、情報再生端末装置１からスケジュール情報のダウンロード要求を受信すると、該情報再生端末装置１のセッションＩＤを確認し、同一コミュニティ内の配信可能なスケジュール情報の一覧表を作成し、該一覧表のデータ、及び登録された録画済み番組の視聴を提案する提案メッセージを情報再生端末装置１に返送する。
【００５３】
スケジュール情報の一覧表及び提案メッセージを参照してユーザが視聴に同意した番組のスケジュール情報を選択すると、情報再生端末装置１は、番組蓄積装置１４２に該スケジュール情報で指定される番組が録画されているか否かを確認し、録画されていない場合は録画されていないことを示すメッセージを表示装置１３０に表示して処理を終了する。
【００５４】
選択された番組が番組蓄積装置１４２に録画されている場合、情報再生端末装置１は、該番組の選択メッセージをスケジュール管理サーバ装置２に送信する。
【００５５】
スケジュール管理サーバ装置２は、情報再生端末装置１から送信されたユーザの選択番組に対応するスケジュール情報をデータ蓄積装置１４から読み出し、情報再生端末装置１に送信する。
【００５６】
情報再生端末装置１は、受信したスケジュール情報を番組蓄積装置１４２に記録し、該スケジュール情報にしたがって指定された時刻に番組蓄積装置１４２に蓄積された指定の番組情報を読み出し、記録再生装置１４３で該録画画像を表示装置に再生表示する。
【００５７】
なお、上記説明では、コミュニティの各ユーザの情報再生端末装置１の時計が全て同時刻に設定されているとして説明しているが、情報再生端末装置１にスケジュール情報の時刻を変換する機能を有すれば、時差がある地域間で同じ情報を同時に視聴することも可能である。
【００５８】
例えば、スケジュール情報を作成する情報再生端末装置１は、スケジュール情報中の再生開始時間をグリニッジ標準時で示せばよい。あるいは、再生開始時間がどの地域の標準時で示されているかを示すタイムゾーン情報をスケジュール情報に含めてもよい。その場合、スケジュール情報を受信した情報再生端末装置１は、スケジュール情報中の情報再生開始時間を自分の地域の標準時間に変換して利用する。
【００５９】
また、上記説明では、スケジュール管理サーバ装置２からスケジュール情報及び提案メッセージを情報再生端末装置１に配信する例で示したが、スケジュール情報及び提案メッセージは、該スケジュール情報を作成したユーザが所有する情報再生端末装置１からコミュニティ内の各ユーザが所有する情報再生端末装置１に直接配信してもよい。その場合、スケジュール情報を作成したユーザは、コミュニティ内の各ユーザに録画済み番組の視聴を提案する提案メッセージをそれぞれ送信し、提案メッセージを受け取ったユーザのうち、該提案に同意するユーザの情報再生端末装置１が、提案メッセージを発信したユーザの情報再生端末装置１からスケジュール情報をダウンロードする。
【００６０】
以上説明した本実施例の情報再生方法によれば、スケジュール情報にしたがって複数の情報再生端末装置１が同じ番組を同時に再生開始するため、各情報再生端末装置１を利用するユーザどうしが同じ番組を視聴しながら良好なコミュニケーションを図ることができる。
【００６１】
（第２実施例）
次に本発明の情報再生方法の第２実施例について説明する。
【００６２】
本実施例の情報再生方法は、スケジュール情報を作成したユーザが該スケジュール情報と共に当該番組情報をそれぞれ登録しておき、コミュニティ内のユーザが指定された番組を情報再生端末装置１に録画していない場合、該ユーザはスケジュール情報と共に番組情報を受信する。そして、該スケジュール情報及び番組情報に基づいて各ユーザの情報再生端末装置１で指定された時刻に同じ画像の再生を開始する方法である
本実施例では、第１実施例と同様の手順で、任意のユーザが情報再生端末１を用いてスケジュール情報及び提案メッセージを作成し、該提案メッセージ及びスケジュール情報と共に、該スケジュール情報で再生すべき番組情報をスケジュール管理サーバ装置２にそれぞれ登録する。
【００６３】
このような状態でコミュニティの他のユーザが該情報再生端末装置１を用いてスケジュール管理サーバ装置２にアクセスすると、スケジュール管理サーバ装置２は、第１実施例と同様の手順で認証処理を行い、アクセスしたユーザにスケジュール情報のダウンロードを選択させ、スケジュール情報の一覧表及び提案メッセージを情報再生端末装置１に返送する。
【００６４】
スケジュール情報の一覧表及び提案メッセージを参照してユーザが視聴に同意した番組のスケジュール情報を選択すると、情報再生端末装置１は選択された番組が番組蓄積装置１４２に記録されているか否かを判定し、該判定結果を表示する。
【００６５】
本実施例では、選択した番組が番組蓄積装置１４２に記録されていない場合、情報再生端末装置１は、該番組の選択メッセージと共に当該番組情報の送信要求をスケジュール管理サーバ装置２に送信する。
【００６６】
スケジュール管理サーバ装置２は、ユーザが選択した番組のスケジュール情報、及び番組情報をデータ蓄積装置１４から読み出し、情報再生端末装置１にそれぞれ送信する。
【００６７】
情報再生端末装置１は、受信したスケジュール情報及び番組情報を番組蓄積装置１４２に蓄積し、該スケジュール情報にしたがって指定された時刻に番組蓄積装置１４２に蓄積された当該番組情報を読み出して記録再生装置１４３で該録画画像を表示装置１３０に再生表示する。
【００６８】
なお、上記説明では、スケジュール情報及び番組情報を、スケジュール管理サーバ装置２から情報再生端末装置１に配信する例で示したが、スケジュール情報及び番組情報は、該スケジュール情報を作成したユーザが所有する情報再生端末装置１からコミュニティ内の各ユーザが所有する情報再生端末装置１に直接配信してもよい。その場合、スケジュール情報を作成したユーザは、コミュニティ内の各ユーザに番組の視聴を提案する提案メッセージをそれぞれ送信し、提案メッセージを受け取ったユーザのうち、該提案に同意するユーザの情報再生端末装置１が、提案メッセージを発信したユーザの情報再生端末装置１からスケジュール情報及び番組情報をそれぞれダウンロードする。
【００６９】
本実施例のように、番組の視聴を提案するユーザの情報再生端末装置からスケジュール情報だけでなく番組情報も配信すれば、番組を録画していなかったユーザも同じ番組を視聴しながらコミュニティ内の会話やチャットに参加することができる。
【００７０】
（第３実施例）
次に本発明の情報再生方法の第３実施例について説明する。
【００７１】
本実施例の情報再生方法は、コミュニティ内のユーザが番組情報を情報再生端末装置１に記録していない場合であり、任意のユーザが複数ユーザで視聴する番組を指定して録画予約及び再生するためのスケジュール情報を生成し、該スケジュール情報を他のユーザに配信し、該スケジュール情報に基づいて各ユーザの情報再生端末装置で同じ番組を情報再生端末装置に録画し、同時刻に同じ画像を再生する方法である。
【００７２】
本実施例では、任意のユーザがＥＰＧ等の番組表から複数ユーザで視聴希望する番組を選択し、該番組の再生時刻を情報再生端末装置１に入力する。情報再生端末装置１は、指定された時刻に選択された番組を再生するためのスケジュール情報を生成する。このとき、スケジュール情報には選択された番組を録画するための予約録画情報が含まれている。
【００７３】
この予約録画情報を含むスケジュール情報を、第１実施例と同様の手順でスケジュール管理サーバ装置１に登録する。
【００７４】
コミュニティの他のユーザは、第１実施例と同様の手順でスケジュール情報をスケジュール管理サーバ装置１から受信し、番組蓄積装置１４２に記録する。
【００７５】
本実施例ではスケジュール情報に指定された番組の録画予約情報が含まれているため、スケジュール情報を記録した情報再生端末装置１は、該スケジュール情報にしたがって指定された番組を予約録画し、指定された時刻に該番組の再生を開始する。
【００７６】
なお、本実施例も第１実施例と同様に、スケジュール情報及び提案メッセージを、該スケジュール情報を作成したユーザが所有する情報再生端末装置１からコミュニティ内の各ユーザが所有する情報再生端末装置１に直接配信してもよい。その場合、スケジュール情報を作成したユーザは、コミュニティ内の各ユーザに録画済み番組の視聴を提案する提案メッセージをそれぞれ送信し、提案メッセージを受け取ったユーザのうち、該提案に同意するユーザの情報再生端末装置１が、提案メッセージを発信したユーザの情報再生端末装置１からスケジュール情報をダウンロードする。
【００７７】
本実施例のように、スケジュール情報に録画予約情報が含まれていれば、これから放送される番組が視聴に同意する各ユーザの情報再生端末装置１で確実に録画されるため、第１実施例と同様に、コミュニティ内の各ユーザどうしが同じ番組を視聴しながら良好なコミュニケーションを図ることができる。
【００７８】
（第４実施例）
次に本発明の情報再生方法の第４実施例について説明する。
【００７９】
本実施例の情報再生方法は、複数のユーザが同じ番組を情報再生端末装置に録画済みである場合に、コミュニティ内の任意のユーザが複数ユーザで視聴する番組を指定すると共にその特殊再生（早送り、巻き戻し、一時停止、再スタート）の履歴を記録したシナリオデータを含むスケジュール情報を生成し、該スケジュール情報を他のユーザに配信し、該スケジュール情報に基づいて各ユーザの情報再生端末装置で同時刻に同じ画像を再生する方法である。
【００８０】
シナリオデータは、番組再生開始からの経過時間と行われた操作の種類（早送り、巻き戻し、一時停止、再開）とが記録された複数のエントリにより構成される。
【００８１】
本実施例では、任意のユーザが、番組蓄積装置に録画された番組の中から複数ユーザで視聴希望する番組を選択し、シナリオデータの作成を指示すると共に該番組を特殊再生しながら視聴する。このとき、ユーザが実施した特殊再生の記録がシナリオデータとして登録され、情報再生端末装置１は指定された時刻に選択された番組を該シナリオデータにしたがって再生するためのスケジュール情報を生成する。
【００８２】
以降、第１実施例と同様の手順で、スケジュール情報をスケジュール管理サーバ装置１に登録し、コミュニティ内の他のユーザは自分の情報再生端末装置１に該スケジュール情報をダウンロードする。
【００８３】
コミュニティの各情報再生端末装置１は、シナリオデータを含むスケジュール情報にしたがって、指定された時刻に指定された番組をシナリオデータにしたがって再生する。
【００８４】
なお、本実施例も第１実施例と同様に、スケジュール情報及び提案メッセージを、該スケジュール情報を作成したユーザが所有する情報再生端末装置１からコミュニティ内の各ユーザが所有する情報再生端末装置１に直接配信してもよい。その場合、スケジュール情報を作成したユーザは、コミュニティ内の各ユーザに録画済み番組の視聴を提案する提案メッセージをそれぞれ送信し、提案メッセージを受け取ったユーザのうち、該提案に同意するユーザの情報再生端末装置１が、提案メッセージを発信したユーザの情報再生端末装置１からスケジュール情報をダウンロードする。
【００８５】
本実施例のように、スケジュール情報にシナリオデータが含まれていれば、各ユーザの情報再生端末装置１が、任意のユーザが操作した特殊再生の履歴にしたがって同じ番組を再生するため、第１実施例と同様の効果を得ることができる。
【００８６】
（第５実施例）
次に本発明の情報再生方法の第５実施例について図面を参照して説明する。
【００８７】
本実施例の情報再生方法は、第１実施例と同様に、コミュニティ内の各ユーザが同じ番組を情報再生端末装置１に録画済みであり、任意のユーザが複数ユーザで視聴する番組を指定するスケジュール情報を生成し、該スケジュール情報を他のユーザに配信し、配信されたスケジュール情報に基づいて各ユーザの情報再生端末装置で同時刻に同じ画像を再生する方法である。また、番組再生中に、任意のユーザが情報再生端末装置１を操作することで特殊再生（早送り、巻き戻し、一時停止、再スタート）させた場合に、他のユーザの情報再生端末装置１による表示画像を該特殊再生に同期させる方法である。
【００８８】
本実施例のスケジュール情報の登録及びダウンロードの手順は、第１実施例と同様であるため、その説明は省略する。以下では、任意のユーザが操作した特殊再生にしたがって各ユーザの情報再生端末装置１の表示画像を同期させるための同期処理について説明する。
【００８９】
図５は本発明の情報再生方法の第５実施例の手順を示すシーケンス図である。
【００９０】
図５に示すように、番組再生中に任意のユーザが特殊再生の操作を行うと、当該情報再生端末装置１は、該操作情報をスケジュール管理サーバ装置２に送信する。操作情報は、操作を行った時刻、操作の種類、操作を行った時点で再生していた位置（番組の先頭からの経過時間）から構成される。
【００９１】
スケジュール管理サーバ装置２は、受信した操作情報をデータ蓄積装置１４に登録し、該操作情報を送信した情報再生端末装置１と同じセッションＩＤが付与された他の情報再生端末装置１を選定し、選定した情報再生端末装置１に操作情報をそれぞれ送信する。
【００９２】
操作情報を受け取った情報再生端末装置１は、該操作情報に含まれる、操作を行った時刻と現在の時刻の差、操作の種類、及び操作を行った時点で再生していた位置から、特殊操作を開始する画面（再生シーン）の位置を算出する。
【００９３】
次に、自機の表示画面を演算結果にしたがって移動させ、移動させた画面から操作情報を発信した情報再生端末装置１と同じ種類の特殊操作を開始する。
【００９４】
例えば、操作時刻が９：００：００、操作情報が到着した時刻が９：００：０２、操作の種類が２倍速送り、操作情報を受け取った時点の表示画面が番組開始からＸ１秒である場合、操作情報を受け取った情報再生端末装置１は番組開始からＸ１−２秒の画面から２倍速送りを開始する。
【００９５】
また、操作時刻が９：００：２０、操作情報が到着した時刻が９：００：２２、操作の種類が２倍速送り後の通常再生、操作情報が到着した時点の表示画面が番組開始からＸ２秒である場合、操作情報を受け取った情報再生端末装置１は番組開始からＸ２−２秒の画面から通常再生を開始する。
【００９６】
なお、特殊操作を開始する画面（再生シーン）の位置を算出する方法は、上記方法に限るものではなく、同期させることができればどのようなものであってもよい。
【００９７】
例えば、操作時刻がＴ１、操作情報が到着した時刻がＴ２、操作の種類がｎ倍速再生（巻き戻しの場合はｎ＜０であり、一時停止の場合ｎ＝０である）、特殊操作を開始した時点の表示画面が番組開始からＹ１秒である場合、操作情報を受け取った情報再生端末装置１は特殊操作を開始する画面の位置Ｙ２を以下の式で算出する。
【００９８】
Ｙ２＝Ｙ１＋（Ｔ２−Ｔ１）×ｎ
具体的には、操作時刻が９：００：００、操作情報が到着した時刻が９：００：０２、操作の種類が２倍速送り（ｎ＝２）、特殊操作を開始した時点の表示画面が番組開始からＸ３秒である場合、操作情報を受け取った情報再生端末装置１は番組開始からＸ３＋４秒の画面から２倍速送りを開始する。
【００９９】
また、操作時刻が９：００：２０、操作情報が到着した時刻が９：００：２２、操作の種類が２倍速送り後の通常再生（ｎ＝−２）、操作を開始した時点の表示画面が番組開始からＸ４秒である場合、操作情報を受け取った情報再生端末装置１は番組開始からＸ４−４秒の画面から通常再生を開始する。
【０１００】
このような処理を各情報再生端末装置１でそれぞれ実行することで、情報の再生時に任意の情報再生端末装置１で特殊再生が実行された場合でも、各情報再生端末装置１の再生画面を同期させることができるため、各情報再生端末装置１の再生画面をより正確に一致させることができる。
【０１０１】
なお、上記説明では、スケジュール管理サーバ装置２から操作情報を情報再生端末装置１に配信する例で示したが、操作情報は、操作情報を発した情報再生端末装置１から同一コミュニティ内の各ユーザが所有する情報再生端末装置１に直接配信してもよい。
【０１０２】
その場合、複数の情報再生端末装置１のうちの所定の１台のみの特殊操作を可能にするか、あるいは各情報再生端末装置に優先度を設け、同時に特殊操作が行われた場合は、優先度の高い情報再生端末装置１から順に操作情報が他の情報再生端末装置１に送信されるようにするとよい。このようにすれば、複数の情報再生端末装置１で異なった特殊操作を同時に行った場合でも混乱することなく、各情報再生端末装置１で同じ画像を同期して再生することができる。
【０１０３】
【発明の効果】
本発明は以上説明したように構成されているので、以下に記載する効果を奏する。
【０１０４】
スケジュール情報を作成した端末装置から他の端末装置に該スケジュール情報をネットワークを介して配信し、スケジュール情報を受信した端末装置が該スケジュール情報にしたがって当該情報を再生することで、同じ情報が複数の端末装置で同時に再生されるため、各端末装置を利用するユーザどうしが同じ情報を視聴しながら良好なコミュニケーションを図ることができる。すなわち、ユーザに新しいコミュニケーション形態を提供することが可能になる。
【０１０５】
また、情報の再生時に特殊再生を実行した端末装置から、該特殊再生の時刻、種類、及び該情報の再生開始からの経過時間を含む操作情報をネットワークを介して他の端末装置に配信し、該操作情報を受信した端末装置が、該操作情報に基づいて操作情報を発信した端末装置による情報の再生位置を算出し、該再生位置に画面を移動することで、情報の再生時に任意の端末装置で特殊再生が実行された場合でも、各端末装置の再生画面を同期させることができる。したがって、各端末装置で表示される再生画面をより正確に一致させることができる。
【図面の簡単な説明】
【図１】本発明の情報再生システムの一構成例を示すブロック図である。
【図２】図１に示したスケジュール管理サーバ装置の一構成例を示すブロック図である。
【図３】図１に示した情報再生端末装置の一構成例を示すブロック図である。
【図４】本発明の情報再生方法の第１実施例の手順を示すシーケンス図である。
【図５】本発明の情報再生方法の第５実施例の手順を示すシーケンス図である。
【符号の説明】
１    情報再生端末装置
２    スケジュール管理端末装置
３    ネットワーク
１０    処理装置
１１、１１１    ＣＰＵ
１２、１１２    主記憶装置
１３、１１３    記録媒体
１４    データ蓄積装置
１５、１１５    メモリ制御インタフェース部
１６、１１６    Ｉ／Ｏインタフェース部
１７、１１７    通信制御装置
１８、１１８    バス
２０、１２０    入力装置
３０    出力装置
１１０    情報処理部
１１９    再生制御インタフェース部
１３０    表示装置
１４０    情報再生部
１４１    受信処理装置
１４２    番組蓄積装置
１４３    記録再生装置
１４４    制御装置
【図１】
0003573203.tif 000002
【図２】
0003573203.tif 000003
【図３】
0003573203.tif 000004
【図４】
0003573203.tif 000005
【図５】
0003573203.tif 000006